(57)【要約】【課題】最初に開栓する開栓操作を簡単にすると共に、その開栓履歴を確実に判別することのできるキャップのタンパーエビデンス構造を提供する。【解決手段】蓋体５には、該蓋体５から容易に切離可能な小突起９が設けられ、また、キャップ本体４には、キャップ本体４から容易に切離可能な帯状体１６が設けられ、蓋体５がキャップ本体４に冠着された状態において、小突起９が帯状体１６とキャップ本体４の胴部１５の外周面との間の隙間に挿入されると共に、小突起９の係止爪部１０が帯状体１６の係止段部１７に係合することにより開栓履歴確認用の確認突起１１が構成され、該確認突起１１を切離するための摘み部を確認突起１１の側方に設けた。これにより、最初に開栓する際には、摘み部を引っ張れば、容易に確認突起１１が切離されて開栓可能となり、確認突起１１の切離状況を視認すれば開栓履歴を判別することができる。【選択図】図１
2008137717.tif 000002
【特許請求の範囲】
【請求項１】
容器の口部に装着される略円筒状のキャップ本体と、該キャップ本体に冠着される有底筒状の蓋体とからなるキャップであって、
蓋体またはキャップ本体のいずれか一方には、容易に切離可能な第１突起が設けられ、また、他方には、容易に切離可能な第２突起が設けられ、蓋体がキャップ本体に冠着された状態において、第１突起と第２突起とを離脱不可能に係合または接合して、開栓履歴確認用の確認突起として構成すると共に、該確認突起をキャップ本体及び蓋体から切離するための摘み部を確認突起の側方に一体に設けたことを特徴とするキャップのタンパーエビデンス構造。
【請求項２】
容器の口部に装着される略円筒状のキャップ本体と、該キャップ本体に冠着される有底筒状の蓋体とからなるキャップであって、
蓋体またはキャップ本体のいずれか一方に設けられた第１突起は、蓋体またはキャップ本体の胴部から延設されて、その胴部から容易に切離可能な小突起で構成され、また、他方に設けられた第２突起は、蓋体またはキャップ本体の胴部の外周面との間に前記小突起を挿入できる程度の隙間を設けるように突設させて該胴部から容易に切離可能な帯状体で構成され、さらに、前記小突起の外壁面に係止爪部を形成すると共に、前記帯状体の内壁面に前記小突起の前記係止爪部が係止される係止段部を形成して、蓋体がキャップ本体に冠着された状態において、前記小突起が前記帯状体と、キャップ本体または蓋体の胴部の外周面との間の隙間に挿入されると共に、前記小突起の係止爪部が前記帯状体の係止段部に離脱不可能に係合されて、開栓履歴確認用の確認突起が構成されることを特徴とするキャップのタンパーエビデンス構造。
【請求項３】
前記確認突起をキャップ本体及び蓋体から切離するための摘み部を確認突起の側方に一体に設け、該摘み部は、前記小突起の一端側に棒状体を設け、また、前記帯状体の一端側には凹部を設け、前記蓋体が前記キャップ本体に冠着された状態において、前記棒状体が前記凹部に挿入されて構成されることを特徴とする請求項２に記載のキャップのタンパーエビデンス構造。
【発明の詳細な説明】
【技術分野】
【０００１】
本発明は、容器の口部に装着される略円筒状のキャップ本体と、該キャップ本体に冠着される有底筒状の蓋体とからなる合成樹脂製のキャップにおいて、蓋体を一度開けたら、この開栓状態を示す痕跡、すなわち開栓履歴を明確に判別できるようにしたキャップのタンパーエビデンス構造に関するものである。
【背景技術】
【０００２】
従来から、容器の口部に装着されるキャップには、一度開栓されたら、その開栓状態を示す痕跡を残すようにした種々のタンパーエビデンス構造が採用されている。
例えば、特許文献１には、容器の口部に装着されるキャップ本体と、該キャップ本体にヒンジ連結された上蓋とからなるキャップにおいて、上蓋にタンパーエビデントバンドが設けられ、このタンパーエビデントバンドは、キャップ本体のスカート壁の外周面に沿うように幅方向に湾曲した板状を呈しており、その基端部が破断可能な弱化部を介して上蓋の指掛け片の下面に突出形成されている。また、このタンパーエビデントバンドの下端には、内側に折り曲げ可能な薄いフラップが設けられ、このフラップを、キャップ本体のスカート壁に下端に設けられた切欠け部に挿入して係止させるようにしており、タンパーエビデントバンドを切り取らないと上蓋を開栓できない構成で、このタンパーエビデントバンドの破断状況を視認することにより開栓履歴を判別できる、ことが記載されている。
【特許文献１】特開２００４−８３０７８号公報
【発明の開示】
【発明が解決しようとする課題】
【０００３】
しかしながら、上述した特許文献１の発明では、タンパーエビデントバンドを弱化部に沿って切断して開栓し、このタンパーエビデントバンドの破断状況によって開栓履歴を判別できるが、このタンパーエビデントバンドの下端のフラップは、キャップ本体のスカート壁の切欠け部から容易に抜けないように構成されているため、開栓時には、まず、弱化部を破断して、タンパーエビデントバンドをキャップ本体の切欠け部から垂れ下がる状態にして、次に、タンパーエビデントバンドを大きい力で下方に引いて、フラップを切欠け部から引き抜くかあるいは折り曲げ部を切断して、キャップ本体から除去しなければならず、最初に開栓する操作がかなり煩雑になっている。
【０００４】
本発明は、かかる点に鑑みてなされたものであり、最初に開栓する開栓操作を簡単にすると共に、その開栓履歴を確実に判別することのできるキャップのタンパーエビデンス構造を提供することを目的とする。
【課題を解決するための手段】
【０００５】
本発明は、上記課題を解決するための手段として、請求項１に記載した発明は、容器の口部に装着される略円筒状のキャップ本体と、該キャップ本体に冠着される有底筒状の蓋体とからなるキャップであって、蓋体またはキャップ本体のいずれか一方には、容易に切離可能な第１突起が設けられ、また、他方には、容易に切離可能な第２突起が設けられ、蓋体がキャップ本体に冠着された状態において、第１突起と第２突起とを離脱不可能に係合または接合して、開栓履歴確認用の確認突起として構成すると共に、該確認突起をキャップ本体及び蓋体から切離するための摘み部を確認突起の側方に一体に設けたことを特徴とするものである。
【０００６】
従って、請求項１の発明では、最初に開栓する時には、確認突起の側方に位置する摘み部を指で把持して、該摘み部をキャップの外周面に沿ってその周方向に引っ張れば、第１突起及び第２突起を接合または係合してなる開栓履歴用の確認突起がキャップの外周面から切離されて、蓋体をキャップ本体から開き開栓可能になる。そして、確認突起の切離状況を視認することにより開栓履歴を判別することが可能となる。
【０００７】
請求項２に記載した発明は、容器の口部に装着される略円筒状のキャップ本体と、該キャップ本体に冠着される有底筒状の蓋体とからなるキャップであって、蓋体またはキャップ本体のいずれか一方に設けられた第１突起は、蓋体またはキャップ本体の胴部から延設されて、その胴部から容易に切離可能な小突起で構成され、また、他方に設けられた第２突起は、蓋体またはキャップ本体の胴部の外周面との間に前記小突起を挿入できる程度の隙間を設けるように突設させて該胴部から容易に切離可能な帯状体で構成され、さらに、前記小突起の外壁面に係止爪部を形成すると共に、前記帯状体の内壁面に前記小突起の前記係止爪部が係止される係止段部を形成して、蓋体がキャップ本体に冠着された状態において、前記小突起が前記帯状体と、キャップ本体または蓋体の胴部の外周面との間の隙間に挿入されると共に、前記小突起の係止爪部が前記帯状体の係止段部に離脱不可能に係合されて、開栓履歴確認用の確認突起が構成されることを特徴とするものである。
【０００８】
従って、請求項２の発明では、キャップのキャップ本体を容器の口部に打栓後、蓋体をキャップ本体に冠着する際に、小突起を、帯状体とキャップ本体または蓋体の胴部の外周面との間の隙間に挿入すると共に、小突起の外壁面に設けた係止爪部を帯状体の内壁面に設けた係止段部に係合し、小突起と帯状体とを離脱不可能に係合することにより、開栓履歴用の確認突起が構成される。
【０００９】
請求項３に記載した発明は、請求項２に記載した発明において、前記確認突起をキャップ本体及び蓋体から切離するための摘み部を確認突起の側方に一体に設け、該摘み部は、前記小突起の一端側に棒状体を設け、また、前記帯状体の一端側には凹部を設け、前記蓋体が前記キャップ本体に冠着された状態において、前記棒状体が前記凹部に挿入されて構成されることを特徴とするものである。
【００１０】
従って、請求項３の発明では、キャップのキャップ本体を容器の口部に打栓後、蓋体をキャップ本体に冠着する際、確認突起を設けるのと同時に、小突起に設けた棒状体を、帯状体に設けた凹部に挿入することにより、摘み部が構成される。
【発明の効果】
【００１１】
本発明の請求項１に記載した発明によれば、最初に開栓する時には、摘み部を指で摘み、摘み部をキャップの外周面に沿って周方向に引っ張れば、確認突起がキャップから切離され、蓋体を開き開栓することができ、開栓後は、通常通りの使用が可能となる。このように、本キャップは、確認突起がキャップから切離されて開栓できる構造であるから、確認突起の切離状況を視認すれば、開栓履歴を判別することができる。しかも、摘み部を周方向に引っ張るだけの操作で確認突起を切離でき開栓することができるので、開栓操作が簡単なものとなる。
【００１２】
請求項２に記載した発明によれば、キャップのキャップ本体を容器の口部に打栓後、蓋体をキャップ本体に冠着する際、小突起を帯状体と蓋体またはキャップ本体の胴部の外周面との間の隙間に挿入して、小突起の係止爪部を帯状体の係止段部に離脱不可能に係合することにより確認突起が構成され、この確認突起がキャップから切離されると、蓋体を開栓可能となり、確認突起の切離状況を視認すれば、開栓履歴を判別することができる。
【００１３】
請求項３に記載した発明によれば、キャップのキャップ本体を容器の口部に打栓後、蓋体をキャップ本体に冠着する際、確認突起が設けられるのと同時に、小突起に設けた棒状体を帯状体に設けた凹部に挿入することにより摘み部が構成される。そして、確認突起をキャップから切離する際には、この摘み部をキャップの周方向に沿って引っ張ることにより容易に確認突起をキャップから切離することができる。
【発明を実施するための最良の形態】
【００１４】
以下、本発明を実施するための最良の形態を図１〜図８に基いて詳細に説明する。
本発明の実施の形態に係るキャップ１は、合成樹脂製からなり、図１に示すように、容器２の口部３に装着される略円筒状のキャップ本体４と、該キャップ本体４に冠着される有底円筒状の蓋体５とから構成されている。これらキャップ本体４と蓋体５とは、ヒンジ部６を介して連結されている。
【００１５】
本キャップ１は、開栓履歴を明確に判別できるようにしたタンパーエビデンス構造を採用している。
すなわち、図１〜図４に示すように、蓋体５には、その胴部７のヒンジ部６側とは反対側の位置に、蓋体５の周縁からキャップ本体４との嵌合方向に向かって突設され、且つその胴部７の外周面より外方に位置する小突起（第１突起）９と、該小突起９に連絡された棒状体２０とが設けられている。この小突起９は、その下部外壁面に係止爪部１０を有し、また、その接続部位に形成された弱化線４７によって蓋体５から容易に切離可能に設けられている。棒状体２０は小突起９と同じ方向に向き、小突起９の周方向の端部に設けられている。
一方、ヒンジ部６を中心として回動する蓋体５が嵌合されるキャップ本体４には、蓋体９の小突起９と対応する位置に、小突起９と係合する帯状体（第２突起）１６と、該帯状体１６に接続され、蓋体５の棒状体２０が挿入される筒状体（凹部）２１とが設けられている。帯状体１６の下部内壁面には、蓋体５の小突起９に設けた係止爪部１０が係止される係止段部１７が周方向に沿って設けられ、また、帯状体１６は、キャップ本体４の胴部１５の外周面との間に所定の隙間４２を設けるように位置し、その周方向の端部が胴部１５の外周面に縦弱化線４３によって容易に切断可能に接続されている。
【００１６】
なお、蓋体５に設けた小突起９及び棒状体２０と、キャップ本体４に設けた帯状体１６及び筒状体２１とは、蓋体５またはキャップ本体４のいずれかに設けても良いものである。
【００１７】
そして、図１及び図２に示すように、キャップ本体４が容器２の口部３に打栓された後、蓋体５をキャップ本体４に冠着した際には、蓋体５に設けた小突起９がキャップ本体４に設けた帯状体１６とキャップ本体４の胴部１５の外周面との間の隙間４２に挿入されると共に、小突起９の係止爪部１０が帯状体１６の係止段部１７とを係合すれば両者９、１６は離脱不可能となり、両者９、１６によって開栓履歴確認用の確認突起１１が構成される。さらに、この確認突起１１の側方に一体的に、蓋体５に設けた棒状体２０がキャップ本体４に設けた筒状体２１に挿入されて、確認突起１１を切離するための摘み部１２が構成される。
【００１８】
本キャップ１をさらに詳しく説明する。まず、キャップ本体４を図１〜図６及び図８に基いて詳しく説明する。
キャップ本体４には、図２〜図４に示すように、その円筒状の胴部１５の内方に、内容物の注出路２２を形成する円筒状の注出筒部２３が胴部１５と同心円状に形成されており、この注出筒部２３の外周面と胴部１５の内周面との間には環状空間２５が形成される。また、胴部１５の下部内周面及び注出筒部２３の下部外周面には、周方向に延びる係合突条２６、２７がそれぞれ一条形成されている。これら胴部１５と注出筒部２３とは、それぞれの上端が上壁部３０で接続されている。
【００１９】
また、キャップ本体４の上壁部３０を境にした上側には、胴部１５から連続する円筒状の係合筒部３１が突設されている。この係合筒部３１の内周径と胴部１５の内周径とは略同一に形成されて、係合筒部３１は胴部１５より薄厚に形成されている。また、この係合筒部３１の外周面には、周方向に延びる係合突条３２が一条形成されている。
さらに、係合筒部３１の内方には、注出筒部２３から上方に連続して、内容物の注出方向を案内する円筒状の案内筒部３３が係合筒部３１と同心円状で突設されている。この案内筒部３３の下端内周径と注出筒部２３の内周径とが略同一に形成されている。また、この案内筒部３３には、その下端の円形の注出口を塞ぐ閉塞板部３５が環状溝部３６を介して一体に形成されている。この閉塞板部３５には、環状溝部３６に沿って切断して、注出路２２を開放するためのリング状の把持部３７が一体に形成されている。
【００２０】
さらに、キャップ本体４の胴部１５で、ヒンジ部６側とは反対側の外周面には、周方向の所定範囲において、その上端周縁から高さ方向の所定範囲に凹部４０が形成されている。この凹部４０は、下方にいくに従ってその深さが浅くなるように形成されている。また、この凹部４０の周方向略中央部位には、上面視半円状の突起部４１、４１が隣接する２箇所に形成されている。これら突起部４１、４１は、図３からよく解るように、凹部４０内で胴部１５の約半分の高さの位置から凹部４０の下端まで延設され、その頂点部分が胴部１５の外周面と同じ付近となるように突設される。
この凹部４０の全体を覆うように、帯状体（第２突起）１６が胴部１５の外周面と所定の隙間４２を設けるように突設されている。この帯状体１６の他端は、キャップ本体４の胴部１５の外周面と縦弱化線４３を介して容易に切断可能に接続されている。一方、帯状体１６の一端側には、帯状体１６側の一部の周範囲（後述する接続片５２を挿入できる程度の範囲）を、上端から所定の高さで開放５５された筒状体（凹部）２１が配置されており、帯状体１６の一端が、開放された筒状体２１の一方の周壁に連続して接続されている。
【００２１】
筒状体２１は、図２〜図５に示すように、略円筒状に形成されており、帯状体１６側の一部の周範囲を、上端から所定の高さで開放５５されている。また、筒状体２１は、図６に示すように、帯状体１６の高さと略同じ高さを有しており、図５に示すように、上から順に小径開口部２１ａ及び大径開口部２１ｂがそれぞれ形成されている。この小径開口部２１ａは、後述する棒状体２０の軸部２０ａが挿入可能な内径に形成されている。また、この筒状体２１には、図２、図４及び図５に示すように、その上端部でキャップ本体４の胴部１５側に面する所定の範囲からキャップ本体４側に向かって、容易に切断可能な上側薄膜部４５が延設されて、キャップ本体４の胴部１５の外周面に接続されている。また、図４及び図８に示すように、筒状体２１の外周面のキャップ本体４の胴部１５側に面する一部分がその全高に亘って容易に切断可能な薄膜部４６によって、キャップ本体４の胴部１５の外周面に接続されている。
そして、このように構成されたキャップ本体４は、図１に示すように、その胴部１５と注出筒部２３との間に設けられた環状空間２５を、容器２の口部３に嵌合させれば、キャップ本体４の胴部１５及び注出筒部２３にそれぞれ設けた係合突条２６、２７が、容器２の口部３の頚部を挟み込むように押圧して、キャップ本体４が容器２の口部３に緊密に嵌合される。
【００２２】
次に、蓋体５を図１〜図４及び図７に基いて詳しく説明する。
蓋体５は、図１〜図４に示すように、有底円筒状に形成されると共に、円筒状の胴部７の下端内周面に係合突条５０が一条形成されている。また、蓋体５の胴部７の内方には、円筒状の密閉筒部５１が胴部７と同心円状に形成されている。なお、密閉筒部５１は胴部７よりも若干高さが低く形成されている。
また、図２及び図３に示すように、蓋体５の胴部７で、ヒンジ部６側とは反対側の外周面の下端部には、所定の周長を有する指掛け片８が外方に向かって突設されている。この指掛け片８の外周面は、胴部７と同心円状の円弧面を呈している。この指掛け片８の下面には、胴部７と同心円状でキャップ本体４の胴部１５に沿うように湾曲された小突起（第１突起）９が下方に向けて弱化線４７を介して容易に切断可能に垂設されている。この小突起９の周長は、指掛け片８の周長よりも若干短く形成されている。また、小突起９の下部外周面には、外方に突設される係止爪部１０が全周長に亘って形成されている。
さらに、図２及び図７に示すように、小突起９の一端側、すなわち、キャップ本体４の帯状体１６の一端に接続された筒状体２１と対応する側に棒状体２０が設けられている。この棒状体２０は、略円板状の頭部２０ａと、頭部２０ａから下方に連設された軸部２０ｂとから構成されている。棒状体２０の軸部２０ｂは、筒状体２１の小径開口部２１ａ（図５参照）に挿入可能な外径に形成されている。また、棒状体２０の頭部２０ａの外径は、筒状体２１の外径と略同一に形成されている。そして、小突起９の一端に接続された接続片５２に棒状体２０の軸部２０ｂが接続されている。
【００２３】
そして、図１に示すように、キャップ本体４が容器２の口部３に打栓された後、蓋体５をキャップ本体４に冠着すると、図１に示すように、蓋体５の胴部７の内周面に設けた係合突条５０が、キャップ本体４の係合筒部３１の外周面に設けた係合突条３２を乗り越えて係合すると共に、蓋体５の密閉筒部５１の下端外周面がキャップ本体４の案内筒部３３の上端内周面に密着される。
また、図２及び図５も参照して、蓋体５の指掛け片８の下面から垂設させた小突起９がキャップ本体４の帯状体１６とキャップ本体４の胴部１５の外周面との間の隙間４２に挿入されると共に、小突起９の係止爪部１０が帯状体１６の係止段部１７に離脱不可能に係合されて、開栓履歴確認用の確認突起１１が構成される。さらに、蓋体５に設けた棒状体２０の軸部２０ｂと小突起９とを接続する接続片５２が、キャップ本体４に設けた筒状体２１の開放部分５５に挿入されると共に、蓋体５に設けた棒状体２０の軸部２０ｂが、キャップ本体４に設けた筒状体２１の小径開口部２１ａ及び大径開口部２１ｂに挿入されて、確認突起１１を切離するための摘み部１２が構成される。なお、図１のキャップ本体４に蓋体５が冠着された状態では、帯状体１６の外周面と、指掛け片８の外周面とが上面視で略重なるようになる。
【００２４】
このようにして構成されたキャップ１を最初に開栓する際には、まず、使用者は摘み部１２を指で摘み、外方で周方向に引っ張るようにして、確認突起１１をキャップ１から切離する。
すなわち、摘み部１２を外方で引っ張ると、まず、上側薄膜部４５及び薄膜部４６が切断されることにより摘み部１２がキャップ本体４から切離され、続いて、摘み部１２を構成する棒状体２０が引っ張られることにより小突起９が指掛け片８の下面から弱化線４７に沿って切断されると共に、摘み部１２を構成する筒状体２１が引っ張られることにより帯状体１６の他端がキャップ本体４の外周面から縦弱化線４３に沿って切断されて、確認突起１１を構成している小突起９及び帯状体１６が、蓋体５及びキャップ本体４から同時に切離される。
そして、確認突起１１が全て切離されたため、指掛け片８の下方には、キャップ本体４胴部１５に設けた凹部４０が現出されて大きな空間が形成されるので、指掛け片８の下面に指を掛けることができ、蓋体５を開き開栓することが可能となる。
【００２５】
以上説明したように、本発明の実施の形態に係るキャップ１では、キャップ本体４が容器２の口部３に打栓された後、蓋体５をキャップ本体４に冠着する際、蓋体５に設けた小突起９がキャップ本体４に設けた帯状体１６とキャップ本体４の胴部１５の外周面との間の隙間４２に挿入されると共に、小突起９の係止爪部１０が帯状体１６の係止段部１７に離脱不可能に係合されて、開栓履歴確認用の確認突起１１が構成される。さらに、この確認突起１１の側方には、蓋体５に設けた棒状体２０がキャップ本体４に設けた筒状体２１に挿入されて、確認突起１１を切離するための摘み部１２が構成される。
【００２６】
そして、キャップ１を最初に開栓する際には、使用者は摘み部１２を指で摘み、外方で周方向に引っ張るようにする。すると、確認突起１１を構成している小突起９及び帯状体１６が、キャップ本体４及び蓋体５から容易に切離されることで、蓋体５を開き開栓することができ、通常の使用が可能となる。また、この確認突起１１の有無を視認することにより、開栓履歴を判別することができる。このように、最初に開栓する際には、摘み部１２を周方向に引っ張るだけの操作で確認突起１１を切離して、蓋体５を開き開栓することができるので、その開栓操作が非常に簡単なものとなる。
また、確認突起１１は、指掛け片８の下方に配されるので、確認突起１１をキャップ１から切離しなければ、蓋体５の指掛け片８に指が掛けられず蓋体５を開くことができないので、使用者はその開栓手順が明確となる。
さらに、キャップ本体４に蓋体５が冠着された状態では、帯状体１６の外周面と、指掛け片８の外周面とが上面視で重なるので、確認突起１１がキャップ１の外周面から突設されていても外観上の違和感がない。
【００２７】
なお、本発明の実施の形態のキャップ１では、指掛け片８の下方に確認突起１１を配置しているが、指掛け片８の下方に限らず、周方向のどの位置に配置してもよい。
また、本発明の実施の形態のキャップ１は、小突起９に係止爪部１０を、帯状体１６に係止段部１７をそれぞれ設けて、小突起９と帯状体１６とをそれぞれの係合爪部１０と係合段部１７とを係合させることにより離脱不可能にしているが、小突起９及び帯状体１６に係止爪部１０及び係止段部１７を設けず、小突起９と帯状体１６とを接着剤によって接合しても良いし、溶融接着によって接合しても良い。
【図面の簡単な説明】
【００２８】
【図１】図１は、本発明の実施の形態に係るキャップが容器の口部に嵌合された断面図である。
【図２】図２は、本発明の実施の形態に係るキャップにおいて、蓋体がキャップ本体から開いた状態の平面図である。
【図３】図３は、図２のＡ−Ａ線に沿う断面図である。
【図４】図４は、図２の状態の下面図である。
【図５】図５は、図２のＢ−Ｂ線に沿う断面図である。
【図６】図６は、図２の状態で、キャップ本体を帯状体側から見た側面図である。
【図７】図７は、図２の状態で、蓋体を指掛け片側から見た側面図である。
【図８】図８は、図２のＣ−Ｃ線に沿う断面図である。
【符号の説明】
【００２９】
１  キャップ，２  容器，３  口部，４  キャップ本体，５  蓋体，７  胴部，８  指掛け片，９  小突起（第１突起），１０  係止爪部，１１  確認突起，１２  摘み部，１５  胴部，１６  帯状体（第２突起），１７  係止段部，２０  棒状体，２１  筒状体（凹部），４２  隙間
【図１】
2008137717.tif 000003
【図２】
2008137717.tif 000004
【図３】
2008137717.tif 000005
【図４】
2008137717.tif 000006
【図５】
2008137717.tif 000007
【図６】
2008137717.tif 000008
【図７】
2008137717.tif 000009
【図８】
2008137717.tif 000010